(57)【要約】  本発明は、吸入器（１）のための封止部材（９０）およびその封止部材を含むアセンブリに関する。封止部材は、封止リップ（９２）を含む。吸入器のためのアセンブリは、第１の部材（３）と、第２の部材（２５）と、封止リップ（９２）を含む封止部材（９０）とを含み、第１の部材および第２の部材は、それらの間における相対的な回転運動を可能にするように組み立てられ、封止リップは、第１の部材と第２の部材との間に封止をもたらすために、第２の部材の表面に封止係合する。
2017511191.tif 000002
【特許請求の範囲】
【請求項１】
吸入器のためのアセンブリであって：
第１の部材（３）と、
第２の部材（２５）と、
封止リップ（９２）を含む封止部材（９０）と
を含み、
第１の部材および第２の部材は、それらの間における相対的な回転運動を可能にするように組み立てられ、
封止リップは、第１の部材と第２の部材との間に封止をもたらすために、第２の部材の表面に封止係合し、
封止リップ（９２）は、第２の部材（２５）の表面との封止係合により、弾性的に変形され、
変形された封止リップ（９２）は、第２の部材（２５）の表面から離れた方に向く側に配置されるキャビティ（１０１）を画成し、
該キャビティ（１０１）は、粉末を受けるように配置され構成される、
前記アセンブリ。
【請求項２】
封止リップ（９２）は、径方向および軸方向の成分を含む封止力を第２の部材（２５）の表面に及ぼす、
請求項１に記載のアセンブリ。
【請求項３】
封止部材（９０）は、主本体（９１）を含み、封止リップ（９２）は、主本体から突出しており封止リップの主本体から離れた側に自由端（９３）を含む、
請求項１または２に記載のアセンブリ。
【請求項４】
主本体（９１）は、第１の部材（３）に連結される、
請求項３に記載のアセンブリ。
【請求項５】
封止リップ（９２）は、自由端（９３）に向かう方向に先細りしている、
請求項３または４に記載のアセンブリ。
【請求項６】
封止リップは、自由端（９３）の方に向かって延びる２つのリップ面（９４、９５）を含み、一方のリップ面（９４）は該自由端に直接つながっており、他方のリップ面（９５）は傾斜面（９６）によって該自由端に連結される、
請求項１〜５のいずれか１項に記載のアセンブリ。
【請求項７】
リップ面（９４）は、自由端（９３）に直接つながっており、第２の部材（２５）の表面に機械的に接触する、
請求項６に記載のアセンブリ。
【請求項８】
第１の部材（３）は、内部空間を画成し、粉末リザーバ（１５）は、該内部空間内にもたらされるまたは該内部空間によってもたらされ、粉末リザーバの内部は、キャビティ（１０１）と流体連通する、
請求項１〜７のいずれか１項に記載のアセンブリ。
【請求項９】
粉末リザーバ（１５）の内部の境界を定める付勢される可動壁（８０）を含み、粉末（２）は、該リザーバ内に保持され、該リザーバ内の粉末は、可動壁によって粉末に及ぼされる力を受け、該力は、粉末を介して封止リップ（９２）に伝達され、該封止リップを介して表面に伝達される、
請求項８に記載のアセンブリ。
【請求項１０】
第２の部材（２５）は、粉末リザーバと流体連通する開口部を含み、アセンブリの用量投与部材は、リザーバ（１５）から粉末の部分量（１４）を抜き取り、該部分量をリザーバから該開口部を通って第２の部材内に移すように動くことができるように配置され構成される、
請求項８または９に記載のアセンブリ。
【請求項１１】
請求項１〜１０のいずれか１項に記載のアセンブリを含む吸入器（１）。
【請求項１２】
請求項１〜１０のいずれか１項に記載の吸入器のためのアセンブリの製造方法であって：
第１の部材（３）、および、該第１の部材に連結され第１の直径を有する開口部を画成する封止リップ（９２）を含む封止部材（９０）をもたらす工程と；
第１の直径よりも大きな第２の直径を有するセクション（８４２）を有する第２の部材（２５）をもたらす工程と；
封止リップが該セクションに接触しそれによって封止リップの端部セクションが第２の部材の該セクションに沿って延びるように封止リップが変形されるように、第２の部材の該セクションを該開口部内に案内する工程と；
第１の部材および第２の部材を互いに対して回転可能に固定する工程と
を含む、前記吸入器のためのアセンブリの製造方法。
【発明の詳細な説明】
【技術分野】
【０００１】
本開示は、医用デバイスのための封止部材、詳細には、医用デバイスのためのアセンブリのための封止部材を対象とし、また、その封止部材を含む、医用デバイスのためのアセンブリを対象とする。医用デバイスは、薬物送達デバイスとすることができる。詳細には、医用デバイスは、吸入器、例えば乾燥粉末吸入器とすることができる。本開示は、さらに、封止部材を含むアセンブリの製造方法を対象とする。
【発明の概要】
【発明が解決しようとする課題】
【０００２】
本開示の目的は、医用デバイスのための改善されたアセンブリの提供を容易にする封止部材を提供することである。さらに、医用デバイスのためのアセンブリおよびアセンブリの製造方法を提供することである。
【課題を解決するための手段】
【０００３】
これらの目的は、特に、独立請求項の主題によって達成される。有利な改善形態および実施形態は、本開示全体および従属請求項に記載されている。しかしながら、本開示は、請求される主題を限定するものではないと解釈すべきである。例えば、特許請求の範囲がアセンブリおよびその製造方法に言及していても、本開示は、やはりまたアセンブリの特徴に関係なく封止部材自体にも言及する。したがって、アセンブリに関して以下に開示される特徴は、アセンブリの１つまたはそれ以上のさらなる部材に関係なく、封止部材自体に関して開示されるもとしてみなされるべきである。
【０００４】
本開示の一態様は、封止部材に関する。封止部材は、封止リップを含む。封止リップは、好ましくは、可撓性である。封止リップは、弾性的に変形可能とすることができる。例えばＯリングのような封止リップのない比較的剛性の高い封止部材に比べると、封止リップのある封止部材は、封止部材としてＯリングが使用される場合に比べて封止リップによって封止係合される表面との接触面積が縮小される２つの部材間における封止を確立するために使用可能である。それでもなお、封止リップは、Ｏリングによってもたらされるのと少なくとも同じ程度緊密な封止を提供することができる。接触面積の縮小は、特に、封止部材がダイナミックシール（ｄｙｎａｍｉｃ  ｓｅａｌ）、すなわち互いに対して動く構成要素間に封止を確立するのに設けられる場合に適している。なぜなら、有利には、封止リップと表面との間の静摩擦および運動摩擦が、接触面積が小さいことにより小さくなるからである。その結果、部材を相対運動しない静止位置から互いに対して相対的に動くように設定するのに及ぼされなければならない力が減少する。それは、部材を互いに対して動かし続けるのに及ぼされなければならない力を保持する。封止リップを設けることで結果的に使用者の労力が少なくなるので、使用者がその力をもたらさなければならない場合、必要な力の減少は特に有利である。
【０００５】
他の態様は、医用デバイス、特に吸入器のような薬物送達デバイスのためのアセンブリに関する。例えば、アセンブリは、乾燥粉末吸入器のためのアセンブリとすることができる。アセンブリは、第１の部材と第２の部材を含む。第１の部材および第２の部材は、組み立てられる、例えば直接的な連結される、または１つもしくはそれ以上のさらなる部材を介して連結される。第１の部材および第２の部材は、それらの間の相対運動を可能にするように組み立てられる。相対運動は、相対的な回転運動とすることができる。第２の部材は、第１の部材に対して回転可能であり、または逆も同様である。第１および第２の部材は、それらの間で相対的な軸方向運動が阻止されるかたちで、互いに対して回転可能なように組み立てられる。したがって、第１および第２の部材は、互いに軸方向に固定される。アセンブリは、封止リップを含む封止部材をさらに含む。好ましくは、封止リップは、第２の部材の外面または第１の部材の内面など、第１の部材または第２の部材の表面に封止係合または接触する。封止係合によって、第１の部材と第２の部材との間に封止がもたらされる。
【０００６】
封止リップと表面との間の接触面積が比較的小さいので、第１の部材と第２の部材との間の相対運動を開始するのに打ち勝たなければならない力は、具体的には封止リップのない封止部材に比べて小さい。好ましくは、封止部材によってもたらされる封止は、回転シール（ｒｏｔａｔｉｏｎ  ｓｅａｌ）のようなダイナミックシールであり、それは、相対的な回転運動の間など、部材の相対運動の間中効果的である。封止リップは、第１の部材と第２の部材との間の空間内に延びることができる。具体的には、封止リップは、第１の部材と第２の部材との間の、普通ならふさがれない空間である空間をふさぐ（ｆｉｌｌ）ことができる。第１の部材と第２の部材との間の接触面は、アセンブリにおいて封止リップによって緊密に封止される。
【０００７】
封止部材、および具体的にはその封止リップによってもたらされる封止は、液密、湿密（ｍｏｉｓｔｕｒｅ−ｔｉｇｈｔ）および／またはパウダータイト（ｐｏｗｓｄｅｒ−ｔｉｇｈｔ）とすることができる。湿密および／またはパウダータイト封止は、特に、乾燥粉末吸入器のような、粉末状の薬剤を送達するように設計される吸入器に適している。なぜなら、それらは、湿った粉末によるデバイスの誤作動を防ぐ、および／または粉末リザーバなどそれが属するアセンブリの領域内に乾燥粉末を閉じ込めるからである。粉末によるアセンブリの他の領域の汚染も回避される、または著しく減少される。特に、封止が互いに相対的に回転することができる２つの部材間にもたらされる場合、部材間の接触面領域内の粉末は、打ち勝たなければならない摩擦を増大させるので、部材の回転に必要な力を著しく増大させることがある。
【０００８】
第１の部材は、アセンブリの内部空間を画成することができる。第１の部材は、例えばその内部空間内に、粉末を受けるように配置され構成される。粉末リザーバは、内部空間によってまたは内部空間内にもたらされる。第２の部材は、第１の部材から粉末の部分量（ｓｕｂｑｕａｎｔｉｔｙ）を抜き取るように配置される用量投与部材を保持するように配置され構成される。用量投与部材は、第２の部材に可動的に保持される。好ましくは、アセンブリは、第１の部材が第２の部材に対して回転されるとき、粉末の部分量が用量投与部材によって第１の部材から第２の部材内へと移されるように構成される。
【０００９】
一実施形態では、封止部材は、第１の部材および第２の部材の一方に連結され、特に、他方にはしっかりとは連結されないことが好ましい。封止リップは、第１の部材および第２の部材のうちのもう一方の部材の表面、例えば、封止部材が連結されない方の部材の表面に接触することができる。
【００１０】
一実施形態では、封止リップは、開口部を画成する。開口部は、封止リップによって円周方向に境界が定められる。第２の部材の一セクションは、開口部に受け入れられ、封止リップによって、具体的には円周方向に封止係合される。組立て前の封止部材の開口部の内径は、第２の部材のそのセクションの外径よりも小さくてよい。組立ての間、そのセクションは、開口部に導入され、封止リップは、セクションのより大きな直径により、変形される。
【００１１】
一実施形態では、封止部材は、リング様に形成される。リップは、リングの内径を画成することができる。
【００１２】
一実施形態では、封止リップは、第２の部材または第１の部材の表面に封止力を及ぼす。封止力は、径方向成分を含む、またはそれからなってよい。あるいは、封止力は、軸方向成分を含む、またはそれからなってよい。一実施形態では、封止力は、径方向成分と軸方向成分の両方を含むことができる。「径方向」および「軸方向」のような方向の明記は、第１の部材に対して第２の部材がその周りを回転することができる、またはその逆も同様である、回転軸を参照することができる。弾性変形は、軸方向かつ／または径方向に起こる。したがって、封止リップは、アセンブリが製造されるとき、径方向かつ／または軸方向に偏向または変形される。
【００１３】
一実施形態では、封止リップは、例えば表面との封止係合によって変形、好ましくは弾性的に変形する。封止リップの弾性変形は、封止リップをその変形されていないすなわち元の形状にさせようとする弾性復元力をもたらすことができる。この力は、第１または第２の部材の表面によって打ち消される。したがって、復元力はその表面に作用する。したがって、封止リップを介して第１の部材または第２の部材に及ぼされる封止力は、弾性復元力である、またはそれを含むことができる。封止力の径方向および軸方向の成分は、弾性的に変形される封止リップによって表面に及ぼされるおよび／または伝達される。
【００１４】
一実施形態では、封止リップは、自由端を含む。自由端は、先端の尖った端部とすることができる。封止係合において、封止リップは、好ましくは、自由端に近接する封止リップの端部セクションだけが変形される。
【００１５】
一実施形態では、封止部材は、主本体を含む。封止リップは、主本体から突出している。封止リップおよび主本体は、単一体として形成される。封止リップの自由端は、封止リップの主本体から離れた側に配置される。主本体は、開口部を画成することができ、例えば、主本体は、リング様に形成される。封止リップは、主本体の内面から内方に突出していてよい。封止リップと比較すると、主本体は、より剛性が高くてよい。したがって、主本体は、封止部材を一部材に連結するために使用される。封止リップは、便宜上、封止部材の封止作用を実行するようにもたらされる。主本体は、封止作用に加わらないことが好ましい。
【００１６】
一実施形態では、封止部材は、第１の部材に連結される。具体的には、主本体が第１の部材に連結される。主本体は、封止部材を第１の部材にしっかりと連結することに使用される。封止部材および第１の部材は、一体に形成することができる。例えば、封止部材および第１の部材は、単一（ｓｉｎｇｌｅ）２Ｋ成形構成要素によって構成することができる。例えば、第１の部材は、封止部材よりも剛性が高くてよい。封止部材と第１の部材の一体形成は、封止部材が第１の部材に組み入れられるので、それによって簡単な作成方法が提供される。
【００１７】
一実施形態では、封止リップは、自由端に向かう方向に先細りしている。したがって、例えば回転軸に沿った断面で見てみると、封止リップの幅は、自由端の方に向けて縮小し得る。自由端から見ると、幅は増大し得る。自由端の近くのセクション、好ましくは、自由端にすぐ近接するセクションにおいて、封止リップの範囲の主方向に沿って見てみると、封止リップの断面は対称を示し得る。
【００１８】
一実施形態では、封止リップは、２つのリップ面を含む。リップ面は、具体的には、その範囲の主方向に沿った封止の境界を定めることができる。２つのリップ面は、自由端の方に向かって延びることができる。２つのリップ面は、主本体から始まることができる。２つのリップ面は、自由端の方に向かって、互いに対して平行または本質的に平行に延びることができる。封止リップの自由端は、リップ面の一方よりも他方の近くに配置される。２つのリップ面は、封止リップの径方向延長部を画成することができる。リップ面の一方は、自由端に直接つながっており、他方は、傾斜面、好ましくは傾斜端面によって自由端に連結される。それぞれの面は平坦面とすることができる。自由端に直接つながっているリップ面は、封止を確立するように第２の部材の表面に機械接触することができる。したがって、傾斜面は、第２の部材の表面から離れていてよい。
【００１９】
封止リップの適切な設計、すなわち端部セクションでの縮小した断面および／または傾斜面によって、第１または第２の部材の表面に作用する封止力が、可能な限り小さく、それでも緊密な封止をもたらすことが確実になる。
【００２０】
一実施形態では、封止リップは、封止を確立するように、自由端により近いまたはそれに直接つながっているリップ表面から遠ざかる方向に偏向されるように設計され配置されることが好ましい。
【００２１】
一実施形態では、封止リップは、変形されるとキャビティを画成するように設計される。具体的には、変形された封止リップは、キャビティを画成することができる。キャビティは、変形された封止リップの、第２の部材の表面から離れた方に向く側に配置される。具体的には、キャビティは、封止リップおよび主本体ならびに／または封止リップおよび第１の部材によって、少なくとも部分的に境界が定められる。
【００２２】
一実施形態では、第１の部材または第２の部材は、内部空間を画成する。粉末リザーバは、その内部空間内に、またはその内部空間によってもたらされる。好ましくは、粉末は、粉末リザーバ内に保持される。粉末リザーバの内部は、キャビティと流体連通してよい。具体的には、その流体連通は、粉末がキャビティに入ることができるように確立される。換言すると、キャビティは、粉末を受けるように配置され構成される。キャビティおよび流体連通は、粉末を介して封止リップに力、すなわち便宜上十分な力を伝達するのに十分な粉末がキャビティに入ることができるように配置され構成される。この目的のため、粉末は、追加の力、例えばばねの力を受けてコンパクトにされ、その力がコンパクトになった粉末によって封止リップに伝達される。したがって、粉末によって伝達される力は、有利には、封止リップを介して第１または第２の部材の表面に及ぼされる封止力に寄与することができる。したがって、粉末自体が、封止の確立またはそれを強めるために使用される。第１および第２の部材が組み立てられるとき、封止リップを変形させるのに必要な力は、後で表面に作用する封止力よりも小さくてよい。なぜなら、粉末は、普通、組立てプロセスの段階では粉末リザーバにまだ導入されないからである。粉末が導入され追加の力が加えられた後、封止が強まる。開示の概念は、粉末だけでなく液体の医薬物質にも有効であることを容易に理解されたい。
【００２３】
一実施形態では、アセンブリは、可動壁、好ましくは付勢される可動壁を含む。可動壁は、便宜上予圧されたばねである、ばねによって付勢される。可動壁は、粉末リザーバの内部の境界を定めることができる。可動壁は、トレーリング壁（ｔｒａｉｌｉｎｇ  ｗａｌｌ）であってよく、例えば用量投与中に粉末がリザーバから出るとき、連続的に粉末リザーバの容積を減少させるように動作することができる。可動壁は、ばね力が粉末に伝達されるなどによって、粉末をコンパクトに保つことができる。壁が動くことができるので、リザーバ内の粉末は、特にリザーバ内に残っている粉末の量に関係なく、可動壁の付勢によってコンパクトに保たれる。好ましくは、リザーバ内の粉末は、可動壁に作用する付勢による機械的な圧力を受け続ける。リザーバ内の粉末は、可動壁によって粉末に及ぼされる力を受けることができる。この力は、粉末を介して封止リップに伝達され、封止リップを介して第１または第２の部材の表面に伝達される。したがって、可動壁を付勢する力は、封止の確立に使用される。具体的には、封止の緊密さは、粉末によって高められる。
【００２４】
一実施形態において、便宜上上述した内部空間を画成しない方である第１の部材または第２の部材は、粉末リザーバと流体連通する開口部を含む。アセンブリの用量投与部材、例えば計量チャンバを含む計量ロッドは、粉末リザーバから粉末の部分量を抜き取り、その部分量をリザーバから具体的にはその開口部を通って第２の部材内に移すように動かされるように配置され構成される。用量投与部材は、第２の部材に可動的に保持される。部分量がリザーバから第２の部材内に移されるとき、第１の部材および第２の部材は、相対的に回転することができる。回転軸は、開口部を通って延びることができる。第２の部材の開口部は、中央開口部とすることができる。封止部材は、開口部よりも回転軸からさらに離れていてよい。
【００２５】
さらなる一態様は、アセンブリ、具体的には上述しさらに以下に記載されるアセンブリを含む、医用デバイス、好ましくは、吸入器のような薬物送達デバイスに関する。したがって、上述されさらに以下に記載される封止部材またはアセンブリに関連して記載される特徴は、医用デバイスにも適用され、その逆も同様である。
【００２６】
さらなる一態様は、薬物送達デバイスのような医用デバイス、特に吸入器のための、アセンブリの製造方法に関する。アセンブリは、上述されさらに以下に記載されるようなアセンブリとすることができる。したがって、アセンブリ、封止部材または吸入器に関連して上記および以下に開示される特徴は、この方法にも適用され、その逆も同様である。
【００２７】
方法では、第１の部材をもたらす。そして、封止リップを含む封止部材をもたらす。封止部材は、第１の部材に連結される。封止リップは、第１の直径を有する開口部を画成することができる。第１の直径は、封止部材の内径とすることができる。封止リップは自由端を有することができる。さらに、第２の部材をもたらすことができる。第２の部材は、第１の直径よりも大きな第２の直径、具体的には外径を有するセクションを有する。第２の部材のこのセクションは、封止リップによって画成される開口部内に案内される。案内は、封止リップがそのセクション、具体的にはセクションの外面に接触するように行われ、それによって封止リップが変形し封止リップの端部セクション例えば自由端にすぐ近接するセクションが第２の部材のセクションに沿って延びるようになる。封止リップの端部セクションは、第２の部材のセクションとの接触により偏向される。その後、第１および第２の部材を互いに回転可能に固定することができる。回転可能な固定は、第１の部材と第２の部材を互いに回転可能なように直接固定することによってか、第１および第２の部材の一方に回転的にロックされ他方に回転可能に固定されるさらなる部材を介してかのいずれかによって行うことができる。
【００２８】
方法は、組立てプロセスの間、封止リップの変形によって封止が確立されるかたちで、第１および第２の部材を簡単に組み立てることができるという利点を有する。封止をもたらすのに他の工程を行う必要はない。さらに、封止リップが第１の部材と一体に形成されるので、部材総数が少ない。
【００２９】
以下の説明では、本開示のいくつかの態様が述べられる。各態様には、他の態様におけるいくつかの態様の特徴を参照しやすくするために番号が付けられている。
【００３０】
１．吸入器のためのアセンブリであって：
−  第１の部材（３）と、
−  第２の部材（２５）と、
−  封止リップ（９２）を含む封止部材（９０）と
を含み、
−  第１の部材および第２の部材は、それらの間における相対的な回転運動を可能にするように組み立てられ、
−  封止リップは、第１の部材と第２の部材との間に封止をもたらすために、第２の部材の表面に封止係合する
アセンブリ。
【００３１】
２．封止リップ（９２）は、径方向および軸方向の成分を含む封止力を第２の部材（２５）の表面に及ぼす、
態様１によるアセンブリ。
【００３２】
３．封止部材（９０）は、主本体（９１）を含み、封止リップ（９２）は、主本体から突出しており封止リップの主本体から離れた側に自由端（９３）を含む、
態様１または２によるアセンブリ。
【００３３】
４．主本体（９１）は、第１の部材（３）に連結される、
態様３によるアセンブリ。
【００３４】
５．封止リップ（９２）は、自由端（９３）に向かう方向に先細りしている、
態様３または４によるアセンブリ。
【００３５】
６．封止リップは、自由端（９３）の方に向かって延びる２つのリップ面（９４、９５）を含み、一方のリップ面（９４）は自由端に直接つながっており、他方のリップ面（９５）は傾斜面（９６）によって自由端に連結される、
態様１〜５のいずれか１つによるアセンブリ。
【００３６】
７．リップ面（９４）は、自由端（９３）に直接つながっており、第２の部材（２５）の表面に機械的に接触する、
態様６によるアセンブリ。
【００３７】
８．封止リップ（９２）は、第２の部材（２５）の表面との封止係合によって弾性的に変形する、
態様１〜７のいずれか１つによるアセンブリ。
【００３８】
９．変形された封止リップ（９２）は、その第２の部材（２５）の表面から離れた方に向く側に配置されるキャビティ（１０１）を画成する、
態様８によるアセンブリ。
【００３９】
１０．キャビティ（１０１）は、粉末を受けるように配置され構成される、
態様９によるアセンブリ。
【００４０】
１１．第１の部材（３）は、内部空間を画成し、粉末リザーバ（１５）は、その内部空間内にもたらされるまたは内部空間によってもたらされ、粉末リザーバの内部は、キャビティ（１０１）と流体連通する、
態様９または１０によるアセンブリ。
【００４１】
１２．粉末リザーバ（１５）の内部の境界を定める付勢される可動壁（８０）を含み、粉末（２）は、リザーバ内に保持され、リザーバ内の粉末は、可動壁によって粉末に及ぼされる力を受け、力は、粉末を介して封止リップ（９２）に伝達され、封止リップを介して表面に伝達される、
態様１１によるアセンブリ。
【００４２】
１３．第２の部材（２５）は、粉末リザーバと流体連通する開口部を含み、アセンブリの用量投与部材は、リザーバ（１５）から粉末の部分量（１４）を回収し、その部分量をリザーバから開口部を通って第２の部材内に移すように動くことができるように配置され構成される、
態様１１または１２によるアセンブリ。
【００４３】
１４．態様１〜１３のいずれかによるアセンブリを含む吸入器（１）。
【００４４】
１５．態様１〜１３のいずれか１つによる、吸入器のためのアセンブリの製造方法であって：
−  第１の部材（３）、および、第１の部材に連結され第１の直径を有する開口部を画成する封止リップ（９２）を含む封止部材（９０）をもたらす工程と；
−  第１の直径よりも大きな第２の直径を有するセクション（８４２）を有する第２の部材（２５）をもたらす工程と；
−  封止リップが第２の部材のセクションに接触しそれによって封止リップの端部セクションが第２の部材のセクションに沿って延びるように封止リップが変形されるように、第２の部材のセクションを開口部内に案内する工程と；
−  第１の部材および第２の部材を互いに対して回転可能に固定する工程と
を含む、製造方法。
【００４５】
本開示のさらなる利点、便法および改良点は、図面と併せて以下の例示的な実施形態の説明を読めば明らかになるであろう。
【図面の簡単な説明】
【００４６】
【図１】概略断面図に基づいて吸入デバイスの一実施形態を示す図である。
【図２】概略断面図に基づいて封止部材の一実施形態を示す図である。
【図３Ａ】完全には組み立てられていない状態にあるアセンブリの一実施形態を示す図である。
【図３Ｂ】組み立てられた状態にあるアセンブリの詳細を示す図である。
【発明を実施するための形態】
【００４７】
図面において、同一の要素、同じ種類の要素および同様の働きをする要素は、対応する参照番号を備えることができる。さらに、図面のいくつかのセクションは、開示される概念を説明し易くするために、誇張されたかたちで示してあり原寸に忠実でない場合がある。
【００４８】
図１は、吸入デバイス１の断面図である。吸入デバイス１は、ハウジング３を含む。デバイス１は、外側部材、すなわち外筒４を含む。以下において外筒を参照するときはいつも外側部材を参照するとしてみなすことができる。部材は、デバイスが薬物の用量の投薬に使用されるときにデバイスの外面を画成するので外側部材として示されるが、図１に示されるように外側に配置されているわけではない。外筒４は、ハウジング３に対する軸方向運動に対して固定される。外筒４は、ハウジング３に対して回転可能である。吸入デバイス１は、外筒４に固定的に連結されるマウスピース６をさらに含む。デバイス１およびハウジング３は、遠位端４１および近位端４２を有する。用語「遠位端」は、デバイス１の、マウスピース６の最も近くに置かれるまたは配置予定の端部またはその構成要素を示す。用語「近位端」は、デバイス１の、マウスピース６から最も遠くに置かれるまたは配置予定の端部またはその構成要素を示す。遠位端４１および近位端４２は、軸１６の方向に互いに間隔が置かれている。軸１６は、以下により詳細に説明するように、デバイスの動作中にデバイスの構成要素がその周りに回転する、デバイス１の長手方向主軸または回転軸とすることができる。
【００４９】
吸入デバイス１は、キャップ７を含む。キャップ７は、マウスピース６を覆うために使用される。キャップ７は、ねじ山、好ましくはねじ山部分（ｓｃｒｅｗ  ｔｈｒｅａｄ）を含むことができる。キャップは、ハウジング３に好ましくはねじ係合される。キャップ７は、デバイス１にねじ式に取り付けられるように、およびデバイス１から緩めて外されるように、ハウジング３に対して回転可能とすることができる。外筒４は、キャップ７に回転的に固定される。具体的には、外筒４は、ハウジング３に対するキャップ７の回転に追随する。この目的のため、キャップと外筒との間に、スプライン連結接触面（ｓｐｌｉｎｅｄ  ｉｎｔｅｒｆａｃｅ）が設けられる（詳細には図示せず）。吸入デバイス１の構成要素およびそれらの機械的協働の詳細な説明については、参照によって本明細書に明示的に組み入れる、類似のデバイスを示している文献ＷＯ２００９／０６５７０７Ａ１号を参照されよう。
【００５０】
デバイス１は、収納チャンバ１５を含む。収納チャンバは、ハウジング３の内部に保持される。収納チャンバ１５は、少なくとも一回用量の医薬物質２、好ましくは複数回用量の医薬物質２を保持する。物質２は、粉末であってよく、または粉末を含んでもよい。したがって、収納チャンバ１５は、粉末リザーバを構築することができる。医薬物質は、薬物を含むことができる。
【００５１】
本明細書において使用される用語、薬物は、例えば、喘息もしくは慢性閉塞性肺疾患（ＣＯＰＤ）のような閉塞性気道または肺疾患、局所的な気道浮腫、炎症、ウイルス性、細菌性、真菌性または他の感染症、アレルギー、真性糖尿病の処置のための、少なくとも１つの薬学的に活性な化合物を含む医薬製剤を意味することがある。
【００５２】
活性な医薬化合物は、好ましくは、吸入に適した活性な医薬化合物、好ましくは抗アレルギー薬、抗ヒスタミン薬、抗炎症薬、鎮咳薬、気管支拡張薬、抗コリン作用薬およびそれらの組み合わせからなる群から選択される。
【００５３】
活性な医薬化合物は、例えば以下から選択することができる：
ヒトインスリンのようなインスリン、例えば組換えヒトインスリン、もしくはヒトインスリン類似体もしくは誘導体、グリカゴン様ペプチド（ＧＬＰ−１）もしくはその類似体もしくはその誘導体、もしくはエキセンジン−３もしくはエキセンジン−４、もしくはエキセンジン−３もしくはエキセンジン−４の類似体もしくは誘導体；
短時間作用型β２アゴニスト（例えばサルブタモール、アルブテロール、レボサルブタモール、フェノテロール、テルブタリン、ピルブテロール、プロカテロール、ビトルテロール、リミテロール、カルブテロール、ツロブテロール、レプロテロール）、長時間作用型β２アゴニスト（ＬＡＢＡ、例えばアルホルモテロール、バンブテロール、クレンブテロール、ホルモテロール、サルメテロール）、ウルトラＬＡＢＡ（例えばインダカテロール）のようなアドレナリン作動薬、もしくは別のアドレナリン作動薬（例えばエピネフリン、ヘキソプレナリン、イソプレナリン（イソプロテレノール）、オルシプレナリン（メタプロテレノール））；
グルココルチコイド（例えばベクロメタゾン、ブデソニド、シクレソニド、フルチカゾン、モメタゾン、フルニソリド、ベタメタゾン、トリアムシノロン）；
抗コリン作用薬もしくはムスカリンアンタゴニスト（例えば臭化イプラトロピウム、臭化オキシトロピウム、臭化チオトロピウム）；
肥満細胞安定化薬（例えばクロモグリケート、ネドクロミル）；
キサンチン誘導体（例えばドキソフィリン、エンプロフィリン、テオブロミン、テオフィリン、アミノフィリン、コリンテオフィリネート）；
ロイコトリエンアンタゴニスト（例えばモンテルカスト、プランルカスト、ザフィルルカスト）のようなエイコサノイド阻害剤、リポキシゲナーゼ阻害剤（例えばジロイトン）、もしくはトロンボキサン受容体アンタゴニスト（例えばラマトロバン、セラトロダスト）；
ホスホジエステラーゼタイプ４阻害剤（例えばロフルミラスト）；
抗ヒスタミン薬（例えばロラタジン、デスロラタジン、セチリジン、レボセチリジン、フェキソフェナジン）；
アレルゲン免疫療法（ａｌｌｅｒｇｅｎ  ｉｍｍｕｎｏｔｈｅｒａｐｙ）（例えばオマリズマブ）；
粘液溶解薬（ｍｕｃｏｌｙｔｉｃ）（例えばカルボシステイン、エルドステイン、メシステイン）；
抗生物質もしくは抗真菌物質；
またはこれまでに言及した化合物種もしくは化合物のいずれか２つ、３つもしくはそれ以上の組み合わせ（例えばブデソニド／ホルモテロール、フルチカゾン／サルメテロール、臭化イプラトロピウム／サルブタモール、モメタゾン／ホルモテロール）；
またはこれまでに挙げた化合物のいずれかの薬学的に許容される塩もしくは溶媒和物もしくはエステル。
【００５４】
薬学的に許容される塩は、例えば酸付加塩および塩基性塩である。酸付加塩は、例えば塩化物、臭化物、ヨウ化物、硝酸、炭酸、硫酸、メチル硫酸、リン酸、酢酸、安息香酸、ベンゼンスルホン酸、フマル酸、マロン酸、酒石酸、コハク酸、クエン酸、乳酸、グルコン酸、グルタミン酸、エデト酸、メシル酸、パモ酸、パントテン酸またはヒドロキシナフトエ酸の塩である。塩基性塩は、例えばアルカリもしくはアルカリ土類から選択されるカチオン、例えばＮａ＋もしくはＫ＋もしくはＣａ２＋、またはアンモニウムイオンＮ＋（Ｒ１）（Ｒ２）（Ｒ３）（Ｒ４）を有する塩であり、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する。薬学的に許容される塩の他の例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。薬学的に許容されるエステルは、例えば酢酸エステル、プロピオン酸エステル、リン酸エステル、コハク酸エステルまたはエタボン酸エステルとすることができる。
【００５５】
薬学的に許容される溶媒和物は、例えば水和物である。
【００５６】
収納チャンバ１５の一方端は、チャンバ天井２４によって終端する。チャンバ天井２４は、収納チャンバ１５の上壁と一体に形成される。チャンバ天井２４の開口部を通って、計量ロッド３３が収納チャンバ１５に入り、収納チャンバから物質を抜き取ることができる。
【００５７】
収納チャンバ１５の他方端、例えば開口部と反対の端部には、可動壁８０が配置される。可動壁８０は、収納チャンバ１５の内部の境界を定める。可動壁８０は、ばね８１によって付勢される。可動壁８０は、計量ロッド３３が収納チャンバ１５にそこから入ることができる開口部の方に付勢される。可動壁８０が付勢されることで、収納チャンバ１５内の物質がコンパクトのままになる、または計量ロッド３３によってチャンバからそれぞれの用量が抜き取られてもコンパクトのままになる。したがって、計量動作に使用されるのに十分な物質が常にそこにあることが保証される。
【００５８】
デバイス１は、回転部材２５をさらに含む。回転部材２５は、回転的に好ましくは軸方向に固定されたかたちで外筒４に連結される。したがって、回転部材２５は、収納チャンバ１５に対する、デバイス１の長手方向主軸または回転軸１６周りのキャップ７の回転、したがって外筒４の回転に追随する。しかし、回転部材２５は、例えばハウジングに回転可能に固定される外筒４を介して、ハウジング３に対して軸方向に固定される。あるいは、回転部材は、ハウジング３に回転可能に固定することができる。いくつかの実施形態では、外筒４および回転部材２５は、単一体として形成される。
【００５９】
デバイス１は、計量ロッド３３をさらに含む。計量ロッドは、計量チャンバ４０を含む。計量ロッド３３は、回転部材２５に可動的に保持される。計量ロッドは、回転部材２５内に、これらの部材が相対的に回転しないように、軸方向に案内される。したがって、計量ロッド３３は、キャップ７がデバイス１にねじ式に付けられるもしくは取り付けられるまたはデバイス１から緩めて外されるもしくは取り外されるとき、長手方向主軸１６周りにキャップ７の回転運動、したがって回転部材２５の回転運動に追随する。計量チャンバ４０は、粉末の用量をチャンバ１５から抜き取り、それを用量の吸入準備完了位置である回転部材内の位置へと動かすために、収納チャンバ１５内の位置から収納チャンバ１５の外の位置へと回転部材２５に対して軸方向に動くことができる。計量ロッド３３は、キャップ７がハウジング３に係合されるときにスナップ嵌め要素３４によってキャップ７に連結される。
【００６０】
ハウジング３は、内方、例えば径方向内方に向く部分８２、具体的にはショルダ部分を有する。部分８２は、ハウジングの、回転部材２５の方に向く端部に配置される。ハウジング３は、計量ロッド３３が収納チャンバ１５の外からそこを通って収納チャンバの中に入ることができる開口部８３をさらに含む。開口部８３は、部分８２によって画成されるおよび／または境界が定められる。ハウジング３の方に向く回転部材２５のセクション８４、好ましくは端部セクションは、開口部８３を通って延びている。セクション８４は、さらに、収納チャンバ１５の開口部を通って延びている。セクション８４は、回転部材の円筒形セクションとすることができる。
【００６１】
整理部材（ｏｒｇａｎｉｚｉｎｇ  ｍｅｍｂｅｒ）８５は、回転部材２５、具体的には回転部材２５のセクション８４に、好ましくは軸方向に回転的にロックされる。整理部材は、収納チャンバの内部に配置され、デバイスの動作中、粉末に直接接触する。回転部材２５が回転すると、整理部材８５も回転し、チャンバ内の粉末を撹拌する。したがって、整理部材８５によって、確実に、収納チャンバ１５内において粉末がばらばらな状態のままになり、望ましくない粉末の塊が形成されなくなる。回転部材２５の内部、具体的にはセクション８４の内部には、シール８６が配置され、それによって、計量ロッドが収納チャンバ１５の内部からそのシールを通って図１の参照番号６０のレベルあたりである吸入の準備が完了する位置まで動く間に、計量ロッド３３に貼りついた過度の粉末が除去される。
【００６２】
キャップ７がハウジング３から係合解除されると、計量ロッド３３は遠位方向に軸方向に移動し、それによって計量ロッド３３の最近位部材が収納チャンバ１５から出る（ｅｘｉｔ）。計量チャンバ４０は、計量ロッド３３の、物質２の中に突出する例えば近位端セクションである端部セクションに設けられる。キャップ７がハウジング３に再係合されると、計量ロッド３３は近位方向に軸方向に移動し、それによって計量チャンバ４０を含む計量ロッド３３の最近位部が収納チャンバ１５に再び入る。
【００６３】
吸入デバイス１は、流路をさらに含む。流路は、便宜上マウスピースに流体連通される流れチャネル６０と中間チャネル部分６１とを含む。
【００６４】
吸入デバイス１は、クロージャ要素５４をさらに含む。クロージャ要素５４は、回転部材２５内に配置され、その部材内で可動的に案内される。回転部材２５およびクロージャ要素は、同速度で回転するように配置される。したがって、動作中、これらの部材間で正味の回転は起こらない。
【００６５】
クロージャ要素５４は、タング７７およびヘッド７６を含むピストンによって形成される。クロージャ要素５４のヘッド７６は、簡単に変形可能な軟質材料から形成される。
【００６６】
クロージャ要素５４は、第１の位置と第２の位置を有する。第１の位置は、第２の位置よりも近位にある。第１の位置では、クロージャ要素５４、具体的にはクロージャ要素５４のタング７７は、第１の位置において流れチャネル６０と中間チャネル部分６１との間の流路を遮断するように構成される（図１にはこの位置が示されている）。第２の位置では、クロージャ要素５４は、タング７７が流れチャネル６０と中間チャネル部分６１との間の流路をそれ以上遮断しないように、より遠位に、すなわちマウスピース６のより近くに位置する。
【００６７】
キャップ７は、ハウジング３からキャップ７を緩めて外すことによってハウジング３から取り外すことができる。したがって、キャップ７は、遠位方向での軸方向運動および回転運動を同時に実行する。キャップ７および外筒４は、キャップ７がハウジング３に取り付けられるとき、スプライン連結係合（ｓｐｌｉｎｅｄ  ｅｎｇａｇｅｍｅｎｔ）される。キャップ７をハウジング３から係合解除する間、キャップ７の回転運動は、外筒に対するスプライン連結により、長手方向軸１６周りの回転部材２５の回転に転換される。回転部材２５の回転は、クロージャ要素５４の回転に転換される。さらに、同時に生じるキャップ７の軸方向運動と回転運動が計量ロッド３３に転換され、収納チャンバ１５および回転部材２５に対する遠位方向の軸方向運動と、長手方向軸１６周りの回転運動が同時に実行される。キャップ７がハウジング３に対するねじ連結の端部に近づくと、スナップ嵌め要素３４が計量ロッド３３から係合解除される。ハウジング３からのキャップ７の係合解除中、クロージャ要素５４は、ハウジング３に対して軸方向に動かされない。したがって、クロージャ要素５４は、ハウジング３からのキャップ７の係合解除の前および後には、第１の位置にある。
【００６８】
キャップ７がハウジング３から完全に係合解除されると、計量チャンバ４０は、収納チャンバから、流路内の位置に動かされる（明確に図示せず）。
【００６９】
そして、具体的には、計量チャンバ４０は、チャネル６０と６１との間に配置される。この位置において、クロージャ要素５４のタング７７は、計量チャンバ４０を閉鎖し、それによって計量チャンバ４０は流路に曝されなくなる。したがって、クロージャ要素５４が第１の位置にあり、キャップ７がハウジング３から係合解除されると、クロージャ要素５４のタング７７は、計量チャンバ４０の両側を覆う。したがって、この第１の状態では、物質の部分量１４が漏れ出すことはできない。むしろ、物質２は、計量チャンバ４０内に確実に保持される。
【００７０】
使用者は、キャップ７を緩めて外した後、デバイスを吸入空気流に曝すことによって、最も単純な場合では息を吸い込むことによって、吸入動作をトリガすることができる。空気はマウスピース６を介して吸入され、その結果、例えば、ヘッド７６が空気の作用に曝されることにより、クロージャ要素５４が軸方向にマウスピース６の方へと、すなわち遠位方向に変位させられる。クロージャ要素５４が軸方向に変位させられることにより、タング７７も同様に軸方向に変位させられ、計量チャンバ４０が解放される。次いで計量チャンバ４０は、流れチャネル６０と中間チャネル部分６１との間の流路内で自由に位置する。次いで、計量チャンバ４０は、流れチャネル６０を通って空気が吸入されることによって一掃され、部分量１４がマウスピース６の方に向かって運ばれる。
【００７１】
吸入動作の完了後、キャップ７をハウジング３に再び係合することができる。キャップ７とハウジング３との係合中、キャップ７は、軸方向に近位方向に動かされ、同時に長手方向軸１６周りに回転される。スナップ嵌め要素３４は、ねじ連結のはじめで計量ロッド３３に係合する。それによって、キャップ７がハウジング３に係合されるとき、計量ロッド３３は、近位方向に動かされる。計量ロッド３３の近位方向運動は、（クロージャ要素５４が第２の位置にある場合）クロージャ要素５４に伝わる。その結果、クロージャ要素５４は、第２の位置から第１の位置まで動かされる。しかし、キャップ７がハウジング３から係合解除され、薬物送達がその間に行われないままその後でハウジング３に再係合される場合、クロージャ要素５４は、その間ずっと第１の位置にある。したがって、クロージャ要素５４は、すでに第１の位置にあるので、キャップ７とハウジング３の係合の間中軸方向に動くことができない。
【００７２】
図１に示される実施形態では、回転部材２５とハウジング３の接触面には、Ｏリングの形の封止リング８７が配置される。リングは、図示のように回転部材のノッチに径方向に予圧された状態で挿入され、したがって、回転部材がハウジング３に対して回転してもノッチ内で確実に保持されるようになっている。封止リング８７は、さらに、ハウジング３、具体的にはハウジング部分８２に接触することができる。したがって、封止リングは、回転部材２５がハウジング３に対して回転しても、粉末が回転部材に入り込まないようし、また、湿気が収納チャンバに入り込まないようにする封止をもたらす。
【００７３】
以下に開示される概念は、封止リング８７の代わりに、以下に示され本明細書の冒頭部でも述べた利点および特徴を有する異なる封止部材を用いることを対象とする。必ずしも冒頭部に記載の特徴すべてが以下において繰り返されるわけではないが、それでもやはり開示の概念に適用される。本封止概念は、２つの部材の例示的な実施形態としての回転部材２５およびハウジング３に関連して記載されるが、それは、様々なアセンブリにおける他の部材、または吸入デバイスなどの医用デバイスのための他の部材に適用することもできる。
【００７４】
図２は、図１に関連して述べたデバイスに適用可能な有利な封止部材の一実施形態を示しており、それは、上述したデバイス動作に有利な効果を有する。図２は、封止部材９０の概略断面図である。
【００７５】
封止部材９０は、主本体９１を有する。封止部材９０は、略リング様構造のものである。封止部材は、中央開口部を画成する。封止部材９０は、封止リップ９２を含む。封止リップ９２は、主本体から内方に突出している。リップ９２は、主本体９１に比べて、より簡単に弾性的に変形することができる。封止リップ９２および主本体９１は、好ましくは、開口部を通って延びる軸周りに回転的に、対称に配置される。開口部は、封止リップ９２によって円周方向に境界が定められる。封止部材は、この軸に対して回転的に、対称的に形成される。封止リップ９２は、自由端９３を含む。自由端９３は、封止リップの主本体９１から離れた側に配置される。自由端９３は、先の尖った自由端とすることができる。封止リップ９２は、２つのリップ面である、第１のリップ面９４および第２のリップ面９５によって画成される。リップ面９４、９５は、大部分は、互いに沿って延びるように配置される。例えば、それらは、互いに平行に配置される。リップ面９４、９５は、径方向、具体的には主本体に対して径方向に延びることができる。第１のリップ面９４の径方向延長部は、第２のリップ面９５の径方向延長部よりも長くてよい。第２のリップ面９５は、例えば封止部材がデバイスに組み込まれている場合その周りでデバイスが回転する軸とすることができる軸に垂直でも平行でもない面である、傾斜面９６によって、自由端９３に連結される。傾斜面９６は、第２のリップ面９５を自由端９３に連結、具体的には直接的に連結することができる。第１のリップ面９４は、自由端に直接つながっていてよい。具体的には、第１のリップ面９４は、図示のように、中断することなく平坦なかたちで主本体の表面に続いていてよい。あるいは、第１のリップ面は、主本体の表面に対して軸方向に引っ込んでいてもよい。第２のリップ面は、自由端９３から径方向にオフセットしていてよい。封止係合を確立するように、封止リップは、便宜上、第２の面９５が自由端からオフセットしている方向すなわち図２の下方に向かう方向に自由端が軸方向に偏向可能なように、構成される。封止リップ９２の端部セクションが先細りしている、すなわち断面においてその幅が自由端の方に向かって減少しているので、この種の偏向には、小さな力しか必要ないことが有利である。したがって、組立てプロセスの間に封止部材に及ぼされる力は小さいままであることが有利である。主本体９１および封止リップ９２は、便宜上、単一体として形成される。例えば、封止部材は、ＴＰＥ、すなわち熱可塑性エラストマーを含むまたはそれからなってよい。熱可塑性エラストマーは、効果的な封止、具体的には封止係合を確立するように変形される封止リップにより確立される封止に必要な良好な弾性を示す。封止リップ９２は、封止係合にあるとき、変形状態で、第２のリップ面および主本体によって境界が定められるキャビティ（図３Ｂのキャビティ１０１参照）を画成するような程度まで径方向にさらに延びる。
【００７６】
図３Ａ、３Ｂは、製造での２つの異なる状態の間の、図１に関連して述べたデバイスに実装される有利なアセンブリを示している。図３Ａは、まだ組立てが終了していないアセンブリを示し、図３Ｂは、組立て後のアセンブリの詳細を示している。
【００７７】
図３Ａでは、ハウジング３は、ハウジング３の内部に保持されている収納チャンバ１５と一緒にもたらされている。封止部材９０は、ハウジング３に連結、好ましくは回転的に軸方向に固定される。具体的には、封止部材９０は、ハウジング部分８２に、好ましくはそれに直接接触して配置される。封止部材９０の主本体９１は、ハウジング部分８２に支承される。封止部材、具体的にはその主本体は、軸方向に突出するハウジング部分８８に直接接触することができ、それによって封止部材についての信頼性の高い座部が形成される。有利には、封止部材９０およびハウジング３は、例えば封止部材がハウジング本体３に対して成形される２Ｋ成形プロセスによって、一体に形成される。ハウジング本体３は、例えば、ＰＰ（ポリプロピレン）を含むまたはそれからなってよい。
【００７８】
図３Ａに示されるように、セクション８４は、封止部材９０によって画成される開口部を通って案内されるように配置される。セクション８４は、２つのサブセクション８４１、８４２を有する。サブセクション８４１は、回転部材２５の主本体に取り付けられる部材によって形成される、または回転部材２５と一体に形成される。サブセクション８４１は、封止部材によって画成される開口部の方に向いており、開口部から離れる方向にサブセクション８４２によって追随される。サブセクション８４１は、サブセクション８４２よりも外径が小さくてよい。サブセクション８４１の直径は、開口部の直径よりもさらに小さくてよい。対照的に、サブセクション８４２の直径は、封止部材の開口部の直径よりも大きい。回転本体２５は、ハウジング３に面し封止部材９０ならびにハウジングの一部分例えばハウジング部分８８を保持するように構成される、ノッチ８９をさらに含む。
【００７９】
回転部材２５、具体的にはセクション８４は、図３Ａに示される位置から封止部材９０によって画成される開口部内へと案内される。まず、サブセクション８４１が開口部に入るとき、封止リップ９２は、変形しない、または著しくは変形しない。より大きな外径のセクション、すなわちセクション８４２が開口部に入るとき、封止リップ９２は、下方に外方に曲がるように軸方向に径方向に変形される。特に、セクション８４、具体的にはサブセクション８４２が開口部に入るとき、先の尖った自由端９３が回転部材２５のセクション８４に接触し、回転部材２５の外面に適合し、その結果、弾性復元力によりこの面に封止力が及ぼされる。封止力によって、湿気が外から収納チャンバに入らないようになる。収納チャンバ内の粉末は、封止効果を高めることができる（以下参照）。特に、粉末によって封止リップに及ぼされる力が高いほど、封止効果がより良好になる。
【００８０】
部材、すなわち回転部材２５とハウジング３との間の相対的な軸方向運動は、ノッチを画成する回転部材の表面がハウジング３の部分８８に係合すると止まる。図３Ｂは、この位置を示す詳細断面図である。
【００８１】
部材は、この位置にあるとき、明確には図示されないがそれでも設けることができる例えばスナップ嵌め連結または外筒４のようなさらなる部材によって、互いに軸方向に固定される。図３Ｂに示される位置では、主本体９１と変形された封止リップ９２を含む封止部材９０は、ノッチ８９内に、具体的にはハウジング部分８８と一緒に配置される。さらに、封止リップ９２は、主本体９１および／またはハウジング３の一セクションと協働して、キャビティ１０１を画成する。キャビティは、収納チャンバ１５に充填されている粉末と流体連通する。収納チャンバの境界を定めるばね懸架式可動壁８０がリザーバ内の粉末を収納チャンバの開口部の方に押しやるとき、その粉末、具体的には相当量がキャビティ１０１に入り、その結果、ばね８１のばね力は、封止リップに伝達され、したがって回転部材の外面、具体的にはセクション８４の外面、およびこのセクション内のサブセクション８４２の外面に作用する封止力に寄与する。このように、ばね力は、封止部材によってもたらされる封止効果を高めるために使用される。
【００８２】
有利には、ハウジング３に対して回転部材２５を回転させるのに打ち勝たなければならない摩擦が小さいように、封止リップと回転部材２５の接触面積は小さいことが有利である。封止効果は、図１に関連して述べたようなＯリングタイプのシールに比べて著しくは減少しない。ばね力と同様、封止リップ９２を元のすなわち図２に示される非変形位置へと動かそうとする弾性復元力も回転部材２５の外面に作用する封止力に寄与する。
【００８３】
回転部材およびハウジング本体を封止部材と一緒に組み立てることは、任意の追加のツールなくして達成することができ；具体的には、回転部材を封止部材の中を通って案内するように封止部材を変形させるのに一切ツールは必要ない。さらに、組立ての間、封止部材は、追加のツールを使用しなくてもダメージを受ける可能性が低い。
【００８４】
封止部材、したがって便宜上外方に延びる封止リップを含む封止部材は、第１の部材（ハウジング３）に連結されるのではなく、第２の部材（回転部材２５）に連結してもよいことが当業者には容易に理解されよう。
【符号の説明】
【００８５】
１  吸入デバイス
２  物質
３  ハウジング
４  筒
６  マウスピース
７  キャップ
１４  部分量
１５  収納チャンバ
１６  軸
２４  チャンバ天井
２５  回転部材
３３  計量ロッド
３４  スナップ嵌め要素
４０  計量チャンバ
４１  遠位端
４２  近位端
５４  クロージャ要素
６０  流れチャネル
６１  中間チャネル部分
７６  ヘッド
７７  タング
８０  可動壁
８１  ばね
８２  ハウジング部分
８３  開口部
８４  セクション
８５  整理部材
８６  シール
８７  封止リング
８８  ハウジング部分
８９  ノッチ
９０  封止部材
９１  主本体
９２  封止リップ
９３  端部
９４  第１のリップ面
９５  第２のリップ面
９６  傾斜面
１０１  キャビティ
８４１  サブセクション
８４２  サブセクション
【図１】
2017511191.tif 000003
【図２】
2017511191.tif 000004
【図３Ａ】
2017511191.tif 000005
【図３Ｂ】
2017511191.tif 000006
【国際調査報告】
2017511191.tif 000007
2017511191.tif 000008
2017511191.tif 000009